(57)【要約】【課題】人間に生理的な嫌悪を感じさせない有害虫進入防止策を施した電子機器等を提供する。【解決手段】バックライトユニット４９では、インバータ回路を構成するインバータトランス１１を実装するインバータ基板１２とバックライトシャーシ４３との間に、光を受けることで蓄光する蓄光シールＡＬが介在する。【選択図】図１
2010073399.tif 000002
【特許請求の範囲】
【請求項１】
駆動回路を実装する回路基板と、
上記回路基板を取り付けられるシャーシと、
を搭載する電子機器にあって、
上記回路基板と上記シャーシとの間隔に、受けるエネルギーを基にして光を発するエネルギー変換型発光材が介在する電子機器。
【請求項２】
上記エネルギーは熱エネルギーであり、その熱エネルギーの供給源の少なくとも１つは、駆動により発熱する上記駆動回路である請求項１に記載の電子機器。
【請求項３】
上記駆動回路を経た電流によって発光する光源が搭載されており、
上記エネルギーは熱エネルギーであり、その熱エネルギーの供給源の少なくとも１つは、上記光源である請求項１に記載の電子機器。
【請求項４】
上記駆動回路を経た電流によって発光する光源が搭載されており、
上記エネルギーは光エネルギーであり、その光エネルギーの供給源の少なくとも１つは、上記光源である請求項１に記載の電子機器。
【請求項５】
上記シャーシは、上記光源と上記回路基板とによって挟まれており、
上記シャーシには、上記光源の光を上記エネルギー変換型発光材に導く開孔が含まれる請求項４に記載の電子機器。
【請求項６】
上記光源が線状光源であり、
上記開孔は、上記線状光源の延び方向と同方向に延びる線状である請求項５に記載の電子機器。
【請求項７】
上記開孔は、上記光源側から上記回路基板側に向かって先太りしている請求項５または６に記載の電子機器。
【請求項８】
上記エネルギー変換型発光材は、上記開孔を塞ぐように、上記シャーシに取り付けられる請求項５〜７のいずれか１項に記載の電子機器。
【請求項９】
上記エネルギー変換型発光材は、上記回路基板および上記シャーシのうちの少なくとも一方に取り付けられる請求項１〜７のいずれか１項に記載の電子機器。
【請求項１０】
上記エネルギーは運動エネルギーであり、その運動エネルギーの供給源の少なくとも１つは、交流電流を供給する上記駆動回路である請求項１に記載の電子機器。
【請求項１１】
上記エネルギー変換型発光材は、上記駆動回路の振動に追従して振動する上記回路基板に取り付けられる請求項１０に記載の電子機器
【請求項１２】
請求項１〜１１のいずれか１項に記載の上記電子機器が、光を外部に向けて出射する照明装置である。
【請求項１３】
請求項１２に記載の照明装置と、
上記照明装置からの光を受ける液晶表示パネルと、
を含む液晶表示装置。
【発明の詳細な説明】
【技術分野】
【０００１】
本発明は、照明装置および液晶表示装置等の電子機器に関する。
【背景技術】
【０００２】
一般的な電子機器、例えば、昨今、市販されている液晶表示装置のような薄型の表示装置には、内部にこもる熱を排気する開口が外装（ハウジング）に形成される。このような開口は、比較的小さいものではあるが、ゴキブリのような昆虫（特に幼虫）が入り込むには十分な大きさを有する。
【０００３】
その上、ゴキブリ（有害虫）は暗く適度に暖かい所を好む。すると、表示装置の内部に、ゴキブリが侵入し、高電圧なインバータ回路（駆動回路）に触れることもあり得る。このような場合、そのインバータ回路が壊れるだけでなく、表示装置までも壊れることになる。そこで、表示装置内部へのゴキブリの進入を防止する一案として、例えば特許文献１に記載されるように、送風ファンでゴキブリの嫌う忌避剤を拡散させることが考えられる。
【特許文献１】特開２００５−３１０５２０号公報
【発明の開示】
【発明が解決しようとする課題】
【０００４】
しかしながら、忌避剤はゴキブリに対して高い忌避効果を発揮し、人間にはほぼ影響はないものの、そのような忌避剤が拡散されることに、生理的に抵抗を感じるユーザもいる。
【０００５】
本発明は、上記の問題点を解決するためになされたものである。そして、その目的は、人間に生理的な嫌悪を感じさせない有害虫進入防止策を施した電子機器等を提供することにある。
【課題を解決するための手段】
【０００６】
電子機器は、駆動回路を実装する回路基板と、その回路基板を取り付けられるシャーシと、を搭載する。そして、この電子機器では、回路基板とシャーシとの間隔に、受けるエネルギーを基にして光を発するエネルギー変換型発光材が介在する。
【０００７】
このようになっていると、発光するエネルギー変換型発光材により、ゴキブリのような光を嫌う昆虫は、電子機器内部における回路基板とシャーシとの間隔に入り込まない。そのため、ゴキブリが回路基板とシャーシとの間隔に位置する駆動回路に触れることはなくなる。その上、エネルギー変換型発光材は、人間には害毒のない光を発するだけである。したがって、このエネルギー変換型発光材が、有害虫進入防止策として、電子機器に搭載されていても、ユーザは生理的な嫌悪を感じない。
【０００８】
なお、エネルギーの一例としては、熱エネルギーが挙げられる。そして、その熱エネルギーの供給源の少なくとも１つは、駆動により発熱する駆動回路であると望ましい。
【０００９】
このようになっていると、エネルギー変換型発光材が駆動回路の近くに配置され、それによって、駆動回路近傍がエネルギー変換型発光材により照らされる。そのため、駆動回路にゴキブリがよりつかない。
【００１０】
なお、電子機器にて、駆動回路を経た電流によって発光する光源が搭載されていると、熱エネルギーの供給源の少なくとも１つは、光源であってもよい。
【００１１】
また、電子機器にて、駆動回路を経た電流によって発光する光源が搭載されていると、エネルギーの一例は光エネルギーであってもよい。そして、その光エネルギーの供給源の少なくとも１つは、光源であると望ましい。つまり、光源を搭載する電子機器では、熱エネルギー以外に光エネルギーも利用される。
【００１２】
また、シャーシは、光源と回路基板とによって挟まれており、シャーシには、光源の光をエネルギー変換型発光材に導く開孔が含まれると望ましい。このようになっていると、エネルギー変換型発光材が、光源からの光エネルギーを効率よく吸収するためである。
【００１３】
また、光源が蛍光管のような線状光源であれば、開孔は線状光源の延び方向と同方向に延びる線状であると望ましい。このようになっていると、線状光が開孔を通じて、効率よく回路基板とシャーシとの間隔に進行する。そのため、その間隔に介在するエネルギー変換型発光材が、線状光の光エネルギーを効率よく吸収するためである。
【００１４】
また、回路基板とシャーシとの間隔に、できるだけ効率よく光を進行させるために、シャーシの開孔は、光源側から回路基板側に向かって先太りしていると望ましい。このようになっていると、光源からの光が開孔の内壁に遮られにくくなり、回路基板とシャーシとの間隔に効率よく進行する。そのため、その間隔に介在するエネルギー変換型発光材が、線状光の光エネルギーを効率よく吸収するためである。
【００１５】
また、光エネルギーに基づいてエネルギー変換型発光材は、開孔を塞ぐように、シャーシに取り付けられると望ましい。このようになっていると、開孔を通過する光のほとんどがエネルギー変換型発光材に入射するためである。
【００１６】
なお、熱エネルギーまたは光エネルギーに基づいて発光するエネルギー変換型発光材は、回路基板およびシャーシのうちの少なくとも一方に取り付けられると望ましい。
【００１７】
ところで、熱エネルギーおよび光エネルギー以外のエネルギーの別例としては、運動エネルギーが挙げられる。そして、その運動エネルギーの供給源の少なくとも１つは、交流電流を供給する駆動回路であると望ましい。
【００１８】
また、エネルギー変換型発光材が振動エネルギーを効率よく吸収するために、エネルギー変換型発光材は、（回路基板そのもの、または）駆動回路の振動に追従して振動する回路基板に取り付けられると望ましい。
【００１９】
なお、以上の電子機器が、光を外部に向けて出射する照明装置も本発明であり、その照明装置と、照明装置からの光を受ける液晶表示パネルと、を含む液晶表示装置も本発明といえる。
【発明の効果】
【００２０】
本発明によれば、人間には害毒のない光を発するエネルギー変換型発光材が、有害虫進入防止策として、電子機器に搭載される。そのため、ユーザは生理的な嫌悪を感じない。
【発明を実施するための最良の形態】
【００２１】
［実施の形態１］
実施の一形態について、図面に基づいて説明すれば、以下の通りである。なお、便宜上、ハッチングや部材符号等を省略する場合もあるが、かかる場合、他の図面を参照するものとする。また、図面上での黒丸は紙面に対し垂直方向を意味する。
【００２２】
なお、以降では電子機器の一例として、表示装置である液晶表示装置を例に挙げて説明する。しかし、電子機器は、液晶表示装置に限定されるものではなく、他の表示装置、照明装置、オーディオ装置、加熱調理器のような家電製品であってもかまわない。
【００２３】
図８は、液晶表示装置６９の分解斜視図である。この図に示すように、液晶表示装置６９は、液晶表示パネル５９と、バックライトユニット（電子機器、照明装置）４９と、液晶表示パネル５９およびバックライトユニット４９を収容するハウジングＨＧ（表ハウジングＨＧ１・裏ハウジングＨＧ２）を含む。
【００２４】
液晶表示パネル５９は、ＴＦＴ（Thin Film Transistor）等のスイッチング素子を含むアクティブマトリックス基板５１と、このアクティブマトリックス基板５１に対向する対向基板５２とをシール材（不図示）で貼り合わせる。そして、両基板５１・５２の隙間に液晶（不図示）が注入される（なお、アクティブマトリックス基板５１および対向基板５２を挟むように、偏光フィルム５３・５３が取り付けられる）。
【００２５】
この液晶表示パネル５９は非発光型の表示パネルなので、バックライトユニット４９からの光（バックライト光）を受光することで表示機能を発揮する。そのため、バックライトユニット４９からの光が液晶表示パネル５９の全面を均一に照射できれば、液晶表示パネル５９の表示品位が向上する。
【００２６】
バックライトユニット４９は、蛍光管（光源、線状光源）４１、ランプホルダ４２、バックライトシャーシ（シャーシ）４３、反射シート４４、拡散シート４５、およびレンズシート４６（４６Ａ・４６Ｂ）を含んでいる。
【００２７】
蛍光管４１は、線状（棒状、円柱状等）になっており、バックライトユニット４９内に複数本で搭載される（ただし、便宜上、図面では一部の本数のみが示されている）。そして、蛍光管４１の電極（不図示）はソケット３１に保持され、そのソケット３１からは電流供給を受けるためのハーネス３２が延び出る。
【００２８】
ランプホルダ４２は、２個１組のブロック状部材であり、蛍光管４１を保持する。詳説すると、一方のランプホルダ４２が蛍光管４１の両端における一端を支え、他方のランプホルダ４２が蛍光管４１の両端における他端を支えることで、その蛍光管４１をバックライトユニット４９に搭載させる。また、より安定的に蛍光管４１をバックライトユニット４９に搭載させるべく、蛍光管４１を把持するランプクリップ（不図示）が含まれていてもよい。
【００２９】
なお、蛍光管４１の種類は限定されることはなく、例えば、冷陰極管や熱陰極管であってもよい。また、以降では、蛍光管４１の並列方向（蛍光管４１が直線状に並ぶ方向）をＰ方向、蛍光管４１の延び方向をＱ方向、Ｐ方向およびＱ方向の両方向に垂直な方向をＲ方向と称する。
【００３０】
バックライトシャーシ４３は、底部４３Ｂとその底部４３Ｂから立ち上がる壁部４３Ｗとを含む箱状の収容体である。そして、このバックライトシャーシ４３が、蛍光管４１等の種々部材を収容する（なお、蛍光管４１は、バックライトシャーシ４３の底部４３Ｂに敷き詰められ、蛍光管４１に面する底部４３Ｂの一面を正面４３Ｂｆ、その正面４３Ｂｆの裏側を背面４３Ｂｒと称する）。
【００３１】
反射シート４４は、バックライトシャーシ４３における底部４３Ｂの正面４３Ｂｆを覆うことで、複数本の蛍光管４１に覆われる反射部材である。そのため、この反射シート４４は、蛍光管４１の光を反射させる。詳説すると、反射シート４４は、蛍光管４１から出射される放射状の光（蛍光管４１を中心とした放射状の光）の一部を反射させ、拡散シート４５に導く。
【００３２】
なお、バックライトシャーシ４３の構成部材自体が、反射機能を有する樹脂または金属等で構成されていてもよい。このようになっていれば、反射シート４４を除くことができるためである。
【００３３】
拡散シート４５は、並列する蛍光管４１を覆うように位置し、蛍光管４１からの光を拡散させて、液晶表示パネル５９全域に光をいきわたらせている（なお、この拡散シート４５とレンズシート４６Ａ・４６Ｂとを、まとめて光学シート群とも称する）。
【００３４】
レンズシート４６Ａは、例えばシート面内にプリズム形状を有し、光の指向性を狭くする光学シートであり、拡散シート４５を覆うように位置する。そのため、このレンズシート４６Ａは、拡散シート４５から進行してくる光を集光させ、輝度を向上させる。
【００３５】
レンズシート４６Ｂは、レンズシート４６Ａを覆うように位置し、一方向の偏光成分を透過させるとともに、その透過する偏光成分に対して直交する偏光成分を反射させる光学シートである。そして、このレンズシート４６Ｂは、偏光フィルム４３により吸収される偏光成分を反射再利用することにより、液晶表示パネル５９上の輝度を向上させる。
【００３６】
以上のようなバックライトユニット４９では、並列する蛍光管４１からの光は、直接拡散シート４５に到達する、もしくは、反射シート４４にて反射した後に拡散シート４５に到達する。さらに、拡散シート４５に到達した光は、拡散されつつレンズシート４６Ａ・４６Ｂを通過することで発光輝度を高めたバックライト光になって出射する。そして、このバックライト光は液晶表示パネル５９に到達し、その液晶表示パネル５９は画像を表示させる。
【００３７】
なお、ハウジングＨＧである表ハウジングＨＧ１と裏ハウジングＨＧ２とは、以上のバックライトユニット４９およびそのバックライトユニット４９を覆う液晶表示パネル５９を挟み込みつつ固定する（なお、固定の仕方は、特に限定されるものではない）。すなわち、表ハウジングＨＧ１は、バックライトユニット４９および液晶表示パネル５９を裏ハウジングＨＧ２とともに挟み込み、これにより、液晶表示装置６９が完成する。
【００３８】
ここで、蛍光管４１および蛍光管４１を駆動させるために用いられるインバータ回路について、図８、バックライトシャーシ４３を背面４３Ｂｒ側からみた斜視図である図７、および図８に示される液晶表示装置６９のＡ−Ａ’線矢視断面図である図１、を用いて説明する（なお、図７でも、図１のＡ−Ａ’線を図示する）。
【００３９】
蛍光管４１は、インバータ回路から供給される交流電流によって駆動する。インバータ回路は、昇圧回路（インバータトランス）１１のような種々の回路で構成されており、それら回路はインバータ基板（回路基板）１２に実装される（なお、図７および図８では、便宜上、インバータ回路におけるインバータトランス１１が主体的に図示される）。
【００４０】
そして、インバータ回路と蛍光管４１との電気的な接続は、インバータ基板１２に取り付けられる基板搭載型コネクタ１３と、ソケット３１から延び出るハーネス３２を２本つなげるハーネス接続型コネクタ２３との嵌り合いで実現する。
【００４１】
基板搭載型コネクタ１３は、インバータ回路に対する電気的な接続部であり、不図示の基板配線（インバータ基板１２に配置される配線）を介してインバータ回路につながる。また、基板搭載型コネクタ１３は、インバータトランス（駆動回路）１１の取り付けられているインバータ基板１２の一面である表出基板面１２ｆと同面に取り付けられる（なお、表出基板面１２ｆの裏側を裏基板面１２ｒと称する）。
【００４２】
なお、図１に示すように、バックライトシャーシ４３における背面４３Ｂｒとインバータ基板１２の裏基板面１２ｒとが向かい合う。そして、バックライトシャーシ４３の底部４３Ｂの一部がインバータ基板１２に向かって隆起することで、ボス４３Ｓが生じる。そして、ボス４３Ｓに対して、インバータ基板１２の表出基板面１２ｆ側からネジ３４が締結されることで、インバータ基板１２は、バックライトシャーシ４３に取り付けられる。
【００４３】
すると、ボス４３Ｓの全長分に応じて、インバータ基板１２とバックライトシャーシ４３とは乖離し、間隔が生じる。なお、ボス４３Ｓの個数および位置は特に限定されるものではない。また、インバータ基板１２の裏基板面１２ｒには、インバータトランス１１の金属端子１１Ｐが露出する。
【００４４】
ハーネス接続型コネクタ２３は、２本の蛍光管４１に対する電気的な接続部であり、２本のハーネス３２および２個のソケット３１を介して蛍光管４１につながる。また、ハーネス接続型コネクタ２３は、図８に示すように、反射シート４４に形成されるコネクタ用シート開孔４４Ｈｃと、バックライトシャーシ４３に形成されるコネクタ用シャーシ開孔４３ＨＣを通じて、バックライトシャーシ４３の正面４３Ｂｆから背面４３Ｂｒへ引き回される。
【００４５】
そして、バックライトシャーシ４３の背面４３Ｂｒ側に位置するハーネス接続型コネクタ２３は、図７の白色矢印のように、インバータ基板１２の基板搭載型コネクタ１３に向かって移動して嵌る。すると、インバータ回路からの交流電流は、基板配線（不図示）、基板搭載型コネクタ１３、ハーネス接続型コネクタ２３、ハーネス３２、およびソケット３１を介して、蛍光管４１に流れる。その結果、蛍光管４１は、交流電流によって駆動させられる。
【００４６】
以上のようにして、蛍光管４１が駆動（発光）する場合、インバータトランス１１には、数キロボルト｛１ＫＶ〜２ＫＶ（実効値）程度｝の交流電圧が印加される。そして、これにより、インバータトランス１１の金属端子１１Ｐにも高電圧がかかり、さらに、インバータトランス１１自体が熱を帯びる（インバータトランス１１は発熱し、８０°程度になる）。したがって、インバータトランス１１に触れることは、危険といえる。
【００４７】
通常、製品化された液晶表示装置６９において、人間が駆動中のインバータトランス１１に触れることはない。しかし、ゴキブリ等の昆虫（有害虫）は、ハウジングＨＧの微少な開口ＨＬから液晶表示装置６９の内部へ進入することもある（図８参照）。特に、インバータ基板１２とバックライトシャーシ４３との間隔（５ｍｍ程度の間隔）は暗く適度に暖かいために、ゴキブリが比較的に入りこみたがる。
【００４８】
このような場合に、ゴキブリがインバータトランス１１の金属端子１１Ｐに触れると、ゴキブリが感電し、さらに、インバータトランス１１（ひいてはインバータ回路）が壊れてしまう。そこで、インバータ基板１２とバックライトシャーシ４３との間隔へのゴキブリの進入を防止する忌避部材が取り付けられる。
【００４９】
詳説すると、忌避部材は、暗闇を好むゴキブリが嫌う光を発する蓄光シールＡＬであり、その蓄光シールＡＬは、図１に示すように、インバータ基板１２とバックライトシャーシ４３（詳説すると、底部４３Ｂ）との間隔に取り付けられる。蓄光シールＡＬは、図２（図１の拡大図）に示すように、蓄光層２５と、その蓄光層２５を挟む２つのＰＥＴ（ポリエチレンテレフタレート）層２６・２６と、一方のＰＥＴ層２６に積層する接着層２７と、を含む。
【００５０】
蓄光層２５は、光を受けて（吸収して）蓄光する硫化亜鉛（ＺｎＳ）、またはアルミン酸ストロンチウム（ＳｒＡｉＯ4）等を含む材料で形成される。ＰＥＴ層２６・２６は、蓄光層２５を挟み込むことで、その蓄光層２５を補強する。そして、接着層２７は、３層（ＰＥＴ層２６・蓄光層２５・ＰＥＴ層２６）を、例えばバックライトシャーシ４３またはインバータ基板１２のような別部材に貼り付ける（図１および図２では、インバータ基板１２の、蓄光シールＡＬが取り付けられた一例を挙げている）。
【００５１】
このような蓄光シール（エネルギー変換型発光材）ＡＬが、インバータ基板１２の裏基板面１２ｒに取り付けられると、液晶表示装置６９がＯＦＦになっている時間帯に、インバータ基板１２とバックライトシャーシ４３との間隔は、蓄光シールＡＬによって照らされる。そのため、この間隔に、ゴキブリは入り込まないし、さらには、ゴキブリが、この間隔において、インバータトランス１１に接近しない。
【００５２】
すると、液晶表示装置６９がＯＮになる場合に、インバータトランス１１が駆動したとしても、ゴキブリは、そのインバータトランス１１に接近していないので、感電せず焦げない。その結果、液晶表示装置６９がＯＮになる場合に、インバータトランス１１が破損しない（ひいては、インバータ回路、バックライトユニット４９、液晶表示装置６９が破損しない）。
【００５３】
その上、蓄光シールＡＬは、人間には害毒のない光を発するだけである。そのため、この蓄光シールＡＬが、有害虫進入防止策として、バックライトユニット４９（ひいては液晶表示装置６９）に搭載されていても、ユーザは生理的な嫌悪を感じない。
【００５４】
なお、蓄光シールＡＬが継続的に暗闇で発光するためには、光（光エネルギー）を受けなくてはならない。そのため、インバータ基板１２とバックライトシャーシ４３との間隔に、光が入り込むようになっており、さらに、その光が蓄光シールＡＬに照射されるとよい。そこで、図１の断面図に示すように、反射シート４４に入射用開孔４４ＨＬ、バックライトシャーシ４３に入射用開孔４３ＨＬが形成されるとよい（なお、開孔４４ＨＬと開孔４３ＨＬとは重なり合う）。
【００５５】
このようになっていると、反射シート４４上に位置する蛍光管（光エネルギーの供給源）４１からの光が、入射用開孔４４ＨＬ・４３ＨＬを通じて、インバータ基板１２とバックライトシャーシ４３との間隔を照らし、さらに、その光が蓄光シールＡＬにまで導かれる。そのため、蓄光シールＡＬは、液晶表示装置６９がＯＮになっている時間帯に、光を効率よく受けて蓄えられる。その結果、蓄光シールＡＬが比較的長期にわたって暗闇で発光する。
【００５６】
なお、反射シート４４の入射用開孔４４ＨＬおよびバックライトシャーシ４３の入射用開孔４３ＨＬは必須とはいえない。例えば、蓄光シールＡＬが、バックライトユニット４９に取り付けられる段階で、比較的長期にわたって発光可能な蓄光量を有していれば、入射用開孔４４ＨＬ・４３ＨＬは不要になる。
【００５７】
また、反射シート４４が受ける光を全て反射するわけではなく、少量の光を透過させるのであれば、入射用開孔４４ＨＬは省略されてもよい。このようになっていても、蛍光管４１の光は、反射シート４４を透過し、さらにバックライトシャーシ４３の入射用開孔４３ＨＬを通じて、インバータ基板１２とバックライトシャーシ４３との間隔を照らせるためである。
【００５８】
なお、バックライトシャーシ４３の入射用開孔４３ＨＬの形状は、特に限定されるものではない。ただし、光エネルギーの供給源となる蛍光管４１が線状であるため、光が線状光になりやすいことから、入射用開孔４３ＨＬは蛍光管４１の延び方向（Ｑ方向）と同方向に延びる線状だとよい。このようになっていると、蛍光管４１からの光が、効率よく、入射用開孔４３ＨＬを通じやすくなる。そのため、インバータ基板１２とバックライトシャーシ４３との間隔に介在する蓄光シールＡＬが、線状光の光エネルギーを効率よく吸収する。
【００５９】
また、図３（図１の別例図）に示すように、入射用開孔４３ＨＬの形状が、蛍光管４１側からインバータ基板１２側に向かって先太りしていると望ましい（逆テーパ状の入射用開孔４３ＨＬだと望ましい）。このようになっていると、入射用開孔４３ＨＬを通じてインバータ基板１２側に発散進行する光が、入射用開孔４３ＨＬの内壁に遮られにくくなり、効率よく、蓄光シールＡＬに到達するためである（もちろん、バックライトシャーシ４３の底部４３Ｂの面内方向にて線状で、底部４３Ｂの厚み方向で先太りする入射用開孔４３ＨＬであってもかまわない）。
【００６０】
また、蓄光シールＡＬは、さらに効率よく光を受けるために、入射用開孔４３ＨＬを塞ぐようにして、バックライトシャーシ４３の背面４３Ｂｒに取り付けられてもよい。このようになっていると、入射用開孔４３ＨＬを通じて進行する光のほとんどが、蓄光シールＡＬに吸収されるためである。
【００６１】
ただし、バックライトシャーシ４３の背面４３Ｂｒに、蓄光シールＡＬが取り付けられる場合、入射用開孔４３ＨＬを塞ぐことは必須ではない。例えば、図４（図１の別例図）に示すように、入射用開孔４３ＨＬに隣り合うようにして、バックライトシャーシ４３の背面４３Ｂｒに、蓄光シールＡＬが取り付けられてもよい。このようになっていても、インバータ基板１２とバックライトシャーシ４３との間隔に進入してきた光が、蓄光シールＡＬに到達するためである。
【００６２】
また、図５（図１の別例図）に示すように、インバータ基板１２の裏基板面１２ｒに取り付けられる蓄光シールＡＬと、バックライトシャーシ４３の背面４３Ｂｒに取り付けられる蓄光シールＡＬとが混在していてもよい。要は、間隔を生じさせるインバータ基板１２（詳説すると、裏基板面１２ｒ）およびバックライトシャーシ４３（詳説すると、背面４３Ｂｒ）のうちの少なくとも一方に、蓄光シールＡＬが取り付けられればよい。
【００６３】
また、図６（図１の別例図）に示すように、蓄光シールＡＬがインバータ基板１２とバックライトシャーシ４３との間隔の長さと同程度の長さを有し、インバータ基板１２の裏基板面１２ｒに接触するとともに、バックライトシャーシ４３の背面４３Ｂｒに接触してもよい。このようになっていると、インバータトランス１１に対し、ゴキブリの接触を妨げる遮蔽物として、蓄光シールＡＬが機能するためである。
【００６４】
なお、インバータ基板１２は、熱を発するインバータトランス１１が取り付けられているものの、熱伝導性の比較的低い材料で形成されているので、熱を帯びにくい。そのため、インバータトランス１１を避けて、蓄光シールＡＬがインバータ基板１２の裏基板面１２ｒに取り付けられれば、その蓄光シールＡＬは安定して裏基板面１２ｒに貼り付く。
【００６５】
また、バックライトシャーシ４３は、熱伝導性の比較的高い材料で形成されているために、蛍光管４１の熱で熱せられやすい。しかしながら、バックライトシャーシ４３の背面４３Ｂｒは平面性が比較的高いために、貼り付けやすい。
【００６６】
［実施の形態２］
実施の形態２について説明する。なお、実施の形態１で用いた部材と同様の機能を有する部材については同一の符号を付記し、その説明を省略する。
【００６７】
実施の形態１では、蛍光管４１の電極（不図示）はソケット３１に保持され、そのソケット３１からは電流供給を受けるためのハーネス３２が延び出ていた。しかし、このようなハーネス３２は必須ではない。すなわち、ハーネス３２を用いずに（ハーネスレスで）、蛍光管４１とインバータ回路とを電気的に接続するバックライトユニット４９も存在する。そこで、このようなバックライトユニット４９について、図９〜図１６を用いて説明する（なお、これら図面では、便宜上、蛍光管４１、インバータ基板１２、バックライトシャーシ４３を主体的に示し、反射シート４４等は省略する）。
【００６８】
図９は、蛍光管４１を搭載するバックライトシャーシ４３とインバータ基板１２とを示す斜視図である。図１０は図９の部分拡大図であり、図１１は図９に示されるバックライトシャーシ４３を背面４３Ｂｒ側からみた斜視図である。図１２は図１０に示されるバックライトシャーシ４３とインバータ基板１２とを分解した状態を示す分解斜視図である。
【００６９】
図１３は、インバータ基板１２に取り付けられる基板搭載型コネクタ１３のみを示す斜視図である。図１４は、バックライトシャーシ４３、一部の蛍光管４１、その蛍光管４１を保持するハーネスレス型コネクタ２４を示す斜視図である。図１５は、バックライトシャーシ４３と一部のハーネスレス型コネクタ２４とを主体的に示す斜視図である。図１６は、ハーネスレス型コネクタ２４が基板搭載型コネクタ１３に嵌る過程を示す斜視図である。
【００７０】
まず、図１１に示すように、インバータ基板１２には、実施の形態１同様、基板搭載型コネクタ１３およびインバータトランス１１が取り付けられる。ただし、実施の形態１とは異なり、基板搭載型コネクタ１３は、蛍光管４１の個数と同数存在する。逆に、実施の形態１と同様に、２本の蛍光管４１に対して１個のインバータトランス１１が存在する。
【００７１】
基板搭載型コネクタ１３は、図１３に示すように、ハーネスレス型コネクタ２４と電気的に接続する孔型接続部１３ＨＪを含む。そして、図１２に示すように、基板搭載型コネクタ１３は、孔型接続部１３ＨＪを、インバータ基板１２に含まれる基板開孔１２Ｈを通じてインバータ基板の裏基板面１２ｒに露出させる。
【００７２】
一方、ハーネスレス型コネクタ２４は、図１４および図１５に示すように、蛍光管４１の電極に導通するソケット３１を嵌め込む保持溝２４Ｄを含み、さらに、保持溝２４Ｄに保持されるソケット３１に導通する突起型接続部２４ＢＪを含む。そして、図１５に示すように、ハーネスレス型コネクタ２４は、バックライトシャーシ４３のコネクタ用シャーシ開孔４３ＨＣを通じて、突起型接続部２４ＢＪを背面４３Ｂｒ側に突出させる。
【００７３】
そして、図１６（便宜上、バックライトシャーシ４３およびインバータ基板１２は省略）に示すように、バックライトシャーシ４３の背面４３Ｂｒに突出するハーネスレス型コネクタ２４の突起型接続部２４ＢＪと、インバータ基板１２の裏基板面１２ｒから露出する基板搭載型コネクタ１３の孔型接続部１３ＨＪとは、近づき合い嵌る。すると、インバータ回路からの交流電流は、基板配線（不図示）、基板搭載型コネクタ１３、ハーネスレス型コネクタ２４、およびソケット３１を介して、蛍光管４１に流れる。その結果、蛍光管４１は、交流電流によって駆動させられる。
【００７４】
そして、このようなバックライトユニット４９であっても、蛍光管４１が駆動する場合、インバータトランス１１には、数キロボルトの交流電圧が印加される。そのため、インバータトランス１１に触れることは、危険といえる。そこで、インバータ基板１２とバックライトシャーシ４３との間隔には、実施の形態１同様に、蓄光シールＡＬが取り付けられる（図１２参照）。
【００７５】
つまり、実施の形態２のバックライトユニット４９と実施の形態１のバックライトユニット４９との違いは、蛍光管４１とインバータ回路との接続の違いだけである。したがって、実施の形態１にて説明した蓄光シールＡＬにより奏ずる作用効果は、実施の形態２でのバックライトユニット４９（ひいては液晶表示装置６９）にも奏ずることになる。
【００７６】
［その他の実施の形態］
なお、本発明は上記の実施の形態に限定されず、本発明の趣旨を逸脱しない範囲で、種々の変更が可能である。
【００７７】
例えば、蓄光シールＡＬは光（光エネルギー）を受けて蓄光していたが、受けるエネルギーは光エネルギーに限定されるものではない。例えば、インバータトランス１１の熱エネルギーまたは蛍光管４１の熱エネルギーを受けて蓄光する蓄光シールＡＬであってもかまわない（すなわち、インバータトランス１１および蛍光管４１が熱エネルギーの供給源である）。
【００７８】
このような蓄光シールＡＬであれば、光を受けなくてもよいので、反射シート４４の入射用開孔４４ＨＬおよびバックライトシャーシ４３の入射用開孔４３ＨＬは不要になる。その上、この蓄光シールＡＬが、熱エネルギーを受けるために、インバータトランス１１の近くに配置されると、インバータトランス１１近傍が蓄光シールＡＬにより照らされる。その結果、インバータトランスＡＬにゴキブリがよりつかない。
【００７９】
なお、このような蓄光シールＡＬは、間隔を生じさせるインバータ基板１２およびバックライトシャーシ４３のうちの少なくとも一方に取り付けられればよい。また、インバータトランス１１と蛍光管４１との熱エネルギーを受けて、蓄光シールＡＬが蓄光してもかまわない。
【００８０】
また、蓄光シールＡＬは、光エネルギーおよび熱エネルギー以外のエネルギーとして、運動エネルギーを受けて蓄光してもよい。インバータトランス１１は、蛍光管４１に対して交流電流を供給するために、微弱だが振動する（要は、インバータトランス１１は、運動エネルギーの供給源である）。
【００８１】
そして、この振動に追従するようにして、インバータトランス１１の取り付けられたインバータ基板１２も振動する。そこで、蓄光シールＡＬがインバータ基板１２に取り付けられていると、その蓄光シールＡＬは振動するインバータ基板１２から運動エネルギーを効率よく受けて蓄光する。
【００８２】
要は、蓄光シールＡＬは、種々のエネルギー（光エネルギー、熱エネルギー、または運動エネルギー等）を受けることで、蓄光できるものであれば、特に限定されるものではない。
【００８３】
なお、蓄光シールＡＬは、インバータ基板１２とバックライトシャーシ４３との間隔に介在すればよく、位置および個数は特に限定されない。
【００８４】
また、バックライトユニット４９の光源として、以上では蛍光管４１を例に挙げて説明してきたが、これに限定されるものではない。例えば、ＬＥＤ（Light Emitting Diode）のような光源、または、有機ＥＬ（electroluminescence）あるいは無機ＥＬのような自発光材料で形成される光源であってもかまわない。
【００８５】
また、以上のバックライトユニット４９に含まれる各種部材（光学シート群等）、およびそれら部材の配置等は、一例であって、これらに限定されるものではない。
【図面の簡単な説明】
【００８６】
【図１】は、図８に示される液晶表示装置のＡ−Ａ’線矢視断面図である。
【図２】は、図１に示される蓄光シートを詳細にした部分拡大図である。
【図３】は、図１に示される液晶表示装置とは異なる液晶表示装置の拡大断面図である。
【図４】は、図１〜図３に示される液晶表示装置とは異なる液晶表示装置の断面図である。
【図５】は、図１〜図４に示される液晶表示装置とは異なる液晶表示装置の断面図である。
【図６】は、図１〜図５に示される液晶表示装置とは異なる液晶表示装置の断面図である。
【図７】は、バックライトシャーシの背面を示す斜視図。
【図８】は、液晶表示装置の分解斜視図である。
【図９】は、蛍光管を搭載するバックライトシャーシとインバータ基板とを示す斜視図である。
【図１０】は、図９に示される蛍光管を搭載するバックライトシャーシとインバータ基板とを示す部分拡大図である。
【図１１】は、図９に示されるバックライトシャーシを背面側からみた斜視図である。
【図１２】は、図１０に示されるバックライトシャーシとインバータ基板とを分解した状態を示す分解斜視図である。
【図１３】は、インバータ基板に取り付けられる基板搭載型コネクタのみを示す斜視図である。
【図１４】は、バックライトシャーシ、一部の蛍光管、その蛍光管を保持するハーネスレス型コネクタを示す斜視図である。
【図１５】は、バックライトシャーシと一部のハーネスレス型コネクタとを主体的に示す斜視図である。
【図１６】は、ハーネスレス型コネクタが基板搭載型コネクタに嵌る過程を示す斜視図である。
【符号の説明】
【００８７】
ＡＬ        蓄光シール（エネルギー変換型発光材）
１１        インバータトランス(駆動回路)
１１Ｐ      金属端子(駆動回路の一部)
１２        インバータ基板（回路基板）
１２ｆ      表出基板面
１２ｒ      裏基板面
１２Ｈ      基板開孔
１３        基板搭載型コネクタ
１３ＨＪ    孔型接続部
２３        ハーネス接続型コネクタ
２４        ハーネスレス型コネクタ
２４Ｄ      保持溝
２４ＢＪ    突起型接続部
３１        ソケット
３２        ハーネス
３４        ネジ
４１        蛍光管（光源、線状光源）
４２        ランプホルダ
４３        バックライトシャーシ（シャーシ）
４３Ｂ      バックライトシャーシの底部
４３Ｂｆ    底部の正面
４３Ｂｒ    底部の背面
４３ＨＣ    コネクタ用シャーシ開孔
４３ＨＬ    入射用シャーシ開孔（開孔）
４４        反射シート
４４Ｈｃ    コネクタ用シート開孔
４４ＨＬ    入射用シャーシ開孔
４５        拡散シート
４６        レンズシート
４９        バックライトユニット（照明装置、電子機器）
５９        液晶表示パネル
６９        液晶表示装置（電子機器）
【図１】
2010073399.tif 000003
【図２】
2010073399.tif 000004
【図３】
2010073399.tif 000005
【図４】
2010073399.tif 000006
【図５】
2010073399.tif 000007
【図６】
2010073399.tif 000008
【図７】
2010073399.tif 000009
【図８】
2010073399.tif 000010
【図９】
2010073399.tif 000011
【図１０】
2010073399.tif 000012
【図１１】
2010073399.tif 000013
【図１２】
2010073399.tif 000014
【図１３】
2010073399.tif 000015
【図１４】
2010073399.tif 000016
【図１５】
2010073399.tif 000017
【図１６】
2010073399.tif 000018